(57)【要約】【課題】プリント回路基板の両面で露光が施すことや、パネルの両面で露光が同時に施すことが可能なパネル露光装置を提供する。【解決手段】本発明のパネル露光装置は、基板パネルが内部に収容される一対の透明パネル１０と、前記基板パネルをスキャンするために、前記一対の透明パネルの上側及び下側にそれぞれ配置された露光機３０と、前記基板パネルの基準点を検出するカメラと、前記カメラを介して検出された基板パネルの基準点の位置と、予めセットされた基板パネルの位置と、が整合されるように前記露光機を制御する制御部と、を含むことができる。【選択図】図３
2014092790.tif 000002
【特許請求の範囲】
【請求項１】
基板パネルが内部に収容される一対の透明パネルと、
前記基板パネルをスキャンするために、前記一対の透明パネルの上側及び下側にそれぞれ配置された露光機と、
前記基板パネルの基準点を検出するカメラと、
前記カメラを介して検出された基板パネルの基準点の位置と、予めセットされた基板パネルの位置と、が整合されるように前記露光機を制御する制御部と、を含む、プリント回路基板のパネル露光装置。
【請求項２】
前記一対の透明パネルは、基板パネルを中心として上面及び底面に密着結合される、請求項１に記載のプリント回路基板のパネル露光装置。
【請求項３】
前記一対の透明パネルは、基板パネルが配置される領域以外の他の縁部領域が半透明又は不透明に形成される、請求項１に記載のプリント回路基板のパネル露光装置。
【請求項４】
前記カメラは、ＣＣＤカメラと、オプティックヘッドと、を含む、請求項１に記載のプリント回路基板のパネル露光装置。
【発明の詳細な説明】
【技術分野】
【０００１】
本発明は、プリント回路基板のパネル露光装置に関し、より詳細には、プリント回路基板の両面で露光が施されたり、パネルの両面で露光が同時に施されるようにしたプリント回路基板のパネル露光装置に関する。
【背景技術】
【０００２】
通常、プリント回路基板は、各種の電子製品の素子を所定フレームに沿って簡単に連結する機能を果し、デジタルＴＶをはじめ家電製品から先端通信機器まで全ての電子製品に広範囲に用いられる部品であって、用途に応じて、汎用ＰＣＢと、モジュール用ＰＣＢと、パッケージ用ＰＣＢと、に分けられる。
【０００３】
即ち、プリント回路基板は、フェノール樹脂絶縁板又はエポキシ樹脂絶縁板などの一面に銅などの薄板を付着した後、回路の配線パターンに沿って食刻（線上の回路のみ残して腐食させて除去）を行って必要な回路を構成し、部品を付着して搭載するための穴をあけて形成したものであって、配線回路面の数によって、片面基板と、両面基板と、多層基板と、に分けられ、層数が多いほど部品の実装力に優れ、高精度の製品に用いられる。
【０００４】
近年、電子産業の発達に伴い、超薄板のプリント回路基板（厚さ：０．０４ｍｍ〜０．２ｍｍ）が広く用いられている。
【０００５】
両面に回路を形成し、スルーホール（ｔｈｒｏｕｇｈ  ｈｏｌｅ）を介して互いに連結した両面基板、又はこれを両面だけでなく、複数個の層に拡大した多層基板の使用が増加している。
【０００６】
現在、プリント回路基板を製作するためには、通常写真転写によってパターンを形成するフォトリソグラフィ（ｐｈｏｔｏ  ｌｉｔｈｏｇｒａｐｈｙ）が用いられている。特に、配線密度の高密度化に対応できるセミアディティブ法が広く用いられている。
【０００７】
セミアディティブ法を用いたプリント回路基板の製造方法は、シード層形成工程、前処理工程、ドライフィルム（Ｄｒｙ  ｆｉｌｍ）積層工程、露光工程、現像工程、電解銅めっき工程、ドライフィルム剥離工程、及びフラッシュエッチング（Ｆｌａｓｈ  Ｅｔｃｈｉｎｇ）工程からなる。
【０００８】
このうち、露光工程は、アートワークフィルムを使用して回路パターンを形成するため、アートワークフィルムが損傷を受けやすく、修正が難しいという欠点があった。
【０００９】
従って、フォトマスクを使用することなく、レーザダイオード（ＬａｓｅｒＤｉｏｄｅ）を光源として使用して基板上の被露光層を直接露光するレーザダイレクトイメージング（Ｌａｓｅｒ  Ｄｉｒｅｃｔ  Ｉｍａｇｉｎｇ）露光機が開発されて用いられている。これにより、パネルに配線パターンが形成される。
【００１０】
図１は従来用いられるＬＤＩ露光機の構成図である。図１に図示されたように、従来のＬＤＩ露光機は、一つのステージ５と、一つのスキャニングユニット３と、を含んでなる。被露光パネル１がステージ５に固定されると、制御部６の制御に従ってスキャニングユニット３からレーザ光が照射される。
【００１１】
このようなＬＤＩ露光機は、配線パターンの修正が容易で、工程が簡素化されるという利点がある。
【００１２】
しかし、図１に図示されたように、従来のＬＤＩ露光機は、工程ごとに一つのパネルのみを露光することができるという点と、パネルの一面のみを露光することができるという点において生産量を増加させることに問題点があり、パネルの一面にのみ露光が施されるため、両面に順に露光を施す場合、前面のパターンと裏面のパターンとの整合が難しいという問題点があった。
【先行技術文献】
【特許文献】
【００１３】
【特許文献１】韓国公開特許第１０−２００９−００６７６９９号公報
【発明の概要】
【発明が解決しようとする課題】
【００１４】
本発明は、前記のような問題点を勘案して導き出されたものであって、本発明の目的は、パネルの両面を露光してパネルの生産性を向上させることができるプリント回路基板のパネル露光装置を提供することにある。
【００１５】
本発明の他の目的は、パネルの両面を同時に露光することができるようにして生産性を増大させることにある。
【課題を解決するための手段】
【００１６】
このような目的を効果的に果たすために、本発明は、基板パネルが内部に収容される一対の透明パネルと、前記基板パネルをスキャンするために、前記一対の透明パネルの上側及び下側にそれぞれ配置された露光機と、前記基板パネルの基準点を検出するカメラと、前記カメラを介して検出された基板パネルの基準点の位置と、予めセットされた基板パネルの位置と、が整合されるように前記露光機を制御する制御部と、を含むことができる。
【００１７】
前記一対の透明パネルは、基板パネルを中心として上面及び底面に密着結合されることができる。
【００１８】
また、前記一対の透明パネルは、基板パネルが配置される領域以外の他の縁部領域が半透明又は不透明に形成されることができる。
【発明の効果】
【００１９】
本発明の実施形態によるプリント回路基板のパネル露光装置によると、パネルの両面を露光してパネルの生産性を向上させることができ、特に、パネルの両面を同時に露光することにより迅速性もまた大幅に向上させることができる。
【図面の簡単な説明】
【００２０】
【図１】従来用いられるＬＤＩ露光機の構成図である。
【図２】本発明の実施形態による基板パネルの両面に一対の透明パネルが吸着設置された状態を示す分解斜視図である。
【図３】本発明の実施形態によるプリント回路基板のパネル露光装置が設けられた状態を示す例示図である。
【発明を実施するための形態】
【００２１】
以下、添付の図面を参照して本発明の好ましい実施形態を詳細に説明すると次のとおりである。
【００２２】
図２は本発明の実施形態による基板パネルの両面に一対の透明パネルが吸着設置された状態を示す分解斜視図であり、図３は本発明の実施形態によるプリント回路基板のパネル露光装置が設けられた状態を示す例示図である。
【００２３】
図３に図示されたように、本発明の実施形態によるプリント回路基板のパネル露光装置１００は、基板パネル２０の両面に結合される一対の透明パネル１０と、基板パネル２０をスキャンする露光機３０と、基板パネル２０の基準点を検出するカメラと、露光機３０及び一対の透明パネル１０の位置を制御する制御部と、を含む。
【００２４】
一対の透明パネル１０は、透過率に優れたガラスを素材として用いることができ、基板パネル２０の上面及び底面にそれぞれ密着結合される。密着結合時には、真空吸着により、基板パネル２０が揺れないように強い吸着状態を維持する。
【００２５】
このように一対の透明パネル１０が基板パネル２０に密着結合されると、基板パネル２０が平らな状態を維持することができる。
【００２６】
この際、一対の透明パネル１０において、上部透明パネル１２及び下部透明パネル１４が基板パネル２０の上面及び底面に同時に密着されることができる。また、下部透明パネル１４が固定された状態で、上部透明パネル１２のみが基板パネル２０を押圧しながら下部透明パネル１４に密着されることもできる。
【００２７】
また、一対の透明パネル１０は、基板パネル２０が配置される領域以外の他の部分が不透明又は半透明の領域に形成されることができる。
【００２８】
これは、基板パネル２０の上面及び底面に一対の透明パネル１０が結合される際に、基板パネル２０が配置された状態を視覚的に確認するためである。
【００２９】
このような一対の透明パネル１０は、基板パネル２０をスキャンする露光機３０が設けられた位置まで移動される。
【００３０】
露光機３０は、内部にレーザダイオードを備え、図面には図示していないが、その内部に複数個の露光ヘッドが整列されている。
【００３１】
また、図面には図示していないが、露光機３０の内部又は外部にはオプティックヘッド（ｏｐｔｉｃ  ｈｅａｄ）が設けられており、移送される基板パネルの基準点、初期位置、及びリアルタイム位置などを測定することができる。
【００３２】
露光機３０の位置は、オプティックヘッドだけでなく、ＣＣＤカメラによっても検出することができる。
【００３３】
即ち、ＣＣＤカメラとオプティックヘッドは、基板パネルの進行方向を基準として、水平型は上／下面に設けられることができ、垂直型は左／右面に設けられることができる。
【００３４】
図面には図示していないが、ＣＣＤカメラは、ストロボ（ｓｔｒｏｂｅ）を発光させ、ストロボからの光が反射されることによってパネルの基準点を撮像する。
【００３５】
ＣＣＤカメラ及びオプティックヘッドを介して撮像されたデータは、無線又は有線により制御部に伝送される。
【００３６】
通常、制御部は、制御ソフトウェアが組み込まれたコンピュータである。制御部は、露光機と一対の透明パネルとの整合を制御する。
【００３７】
制御部には、露光機３０の駆動を制御するための映像データ処理部と、ミラー駆動制御部と、が組み込まれる。制御部は、それぞれの露光機の駆動信号、マイクロミラーの角度及び駆動を制御する制御信号を生成する。
【００３８】
また、制御部は、ＣＣＤカメラから受信したデータと、予め格納した整合時のパネル基準点の位置データとを比較した後、一対の透明パネル１０及び露光機３０の位置補正値を算出し、一対の透明パネル１０及び露光機３０に含まれた位置補正手段に制御信号を送信する。
【００３９】
このように構成された本発明の実施形態によるプリント回路基板のパネル露光装置は、次のような作動を行う。
【００４０】
基板パネル２０の両面をスキャンする場合、基板パネル２０の両面は一対の透明パネル１０の間に配置される。基板パネル２０を配置する際に、一対の透明パネル１０の間には強い吸着が行われて、基板パネル２０が移送される過程で揺れなくなる。
【００４１】
移送された一対の透明パネル１０は、オプティックヘッド及びＣＣＤカメラを介して基板パネル２０の基準点を検出し、制御部にデータを送信する。
【００４２】
制御部は、受信したデータと、格納した基準パネルの整合位置のデータとを比較して、一対の透明パネル１０と露光機３０のうち何れか一つの位置を補正する。このような補正位置により、基板パネル２０と露光機３０とが整合される。
【００４３】
整合が完了した後には基板パネル２０が露光領域に移動され、基板パネル２０が露光領域に進入すると、露光機３０が制御部の制御信号に従って基板パネル２０にレーザ光を照射して露光が施される。
【００４４】
この際、基板パネル２０の上面に施されるパターンと底面に施されるパターンとが互いに異なる場合、それぞれの露光機３０が、制御部の信号に従って互いに異なるパターンに露光を施す。
【００４５】
基板パネル２０に対する露光工程が全て完了すると、一対の透明パネル１０と基板パネル２０は元の位置に移送される。
【００４６】
以上、本発明の実施形態によるプリント回路基板のパネル露光装置について説明したが、本発明はこれに限定されず、当業者であればその応用と変形が可能であることは言うまでもない。
【符号の説明】
【００４７】
１０  一対の透明パネル
１２  上部透明パネル
１４  下部透明パネル
２０  基板パネル
３０  露光機
１００  パネル露光装置
【図１】
2014092790.tif 000003
【図２】
2014092790.tif 000004
【図３】
2014092790.tif 000005